(57)【要約】  流体コネクターおよびＩＶ投与セットの汚染に抵抗するために、ならびに、ＩＶ投与セットのプライミングを可能にするために、ＩＶ投与セットの流体コネクターに連結するためのデバイスである。デバイスは、流体コネクターを受け入れるためのキャビティーを有するカバー本体部と、ＩＶ投与セットから流体コネクターを通して流体をプライミングするためのプライミング通路と、カバー本体部から延在するカップリング・タブとを含み、カップリング・タブは、カバー本体部が所定の長さのＩＶラインまたはＩＶ投与セットの他の部分に連結されることを可能にし、汚染に抵抗し、ＩＶ投与セットのプライミングを可能にする。
2021534890.tif 000002
【特許請求の範囲】
【請求項１】
静脈内（ＩＶ）プライミング・キャップであって、前記静脈内（ＩＶ）プライミング・キャップは、
近位端部、遠位端部、および内側表面を有するカバー本体部であって、前記内側表面は、前記近位端部から前記遠位端部に向けて前記カバー本体部の中へ延在しているコネクター・キャビティーを画定しており、前記コネクター・キャビティーは、前記カバー本体部の前記近位端部から前記遠位端部に向けて延在する長手方向のコネクター・キャビティー軸線を含む、カバー本体部と；
前記コネクター・キャビティーの中から前記カバー本体部の外側へ延在するプライミング通路と；
前記カバー本体部の外側表面から延在するカップリング・タブであって、前記カップリング・タブは、前記カバー本体部に連結されているベース部分、前記カバー本体部の遠位にある先端部部分、前記カップリング・タブを通るチュービング通路、および、前記カップリング・タブの外側表面を通り前記チュービング通路へ延在するスロットを含み、前記カップリング・タブは、前記スロットを通して前記チュービング通路へ移動させられる所定の長さのチュービングに対して係合するように構成されている、カップリング・タブと
を含む、静脈内（ＩＶ）プライミング・キャップ。
【請求項２】
前記カップリング・タブは、第１のカップリング・アームおよび第２のカップリング・アームを含み、前記第１のカップリング・アームおよび前記第２のカップリング・アームのそれぞれは、前記カップリング・タブの前記ベース部分と前記先端部部分との間に延在している、請求項１に記載のＩＶプライミング・キャップ。
【請求項３】
前記第１のカップリング・アームおよび前記第２のカップリング・アームのそれぞれは、前記第１のカップリング・アームおよび前記第２のカップリング・アームのうちの他方の方を向く内側表面を含み、前記チュービング通路および前記スロットは、前記第１のカップリング・アームの内側表面と前記第２のカップリング・アームの内側表面との間に画定されている、請求項２に記載のＩＶプライミング・キャップ。
【請求項４】
前記スロットは、前記カップリング・タブの前記先端部部分から前記ベース部分に向かう方向に延在している、請求項１に記載のＩＶプライミング・キャップ。
【請求項５】
前記カップリング・タブは、内側表面を含み、前記カップリング・タブの内側表面は、前記カップリング・タブの内側表面と前記カバー本体部の外側表面との間に前記チュービング通路および前記スロットを画定している、請求項１に記載のＩＶプライミング・キャップ。
【請求項６】
前記カップリング・タブは、前記長手方向のコネクター・キャビティー軸線に対して横断する方向に、前記カバー本体部の外側表面に沿って延在している、請求項５に記載のＩＶプライミング・キャップ。
【請求項７】
前記ベース部分は、前記長手方向のコネクター・キャビティー軸線に対して横断方向の第１の方向に、前記カバー本体部から延在しており、前記先端部部分は、前記第１の方向とは異なっている第２の方向に、前記ベース部分から延在している、請求項１に記載のＩＶプライミング・キャップ。
【請求項８】
前記第２の方向は、前記長手方向のコネクター・キャビティー軸線に対して横断方向になっている、請求項７に記載のＩＶプライミング・キャップ。
【請求項９】
前記カバー本体部は、前記カバー本体部の外側表面に沿って延在するリブおよびチャネルのいずれかを含む、請求項１に記載のＩＶプライミング・キャップ。
【請求項１０】
前記プライミング通路は、前記カバー本体部の前記近位端部および前記遠位端部のいずれか通って延在している、請求項１に記載のＩＶプライミング・キャップ。
【請求項１１】
前記ＩＶプライミング・キャップは、前記プライミング通路に沿って位置決めされている疎水性のフィルターを含む、請求項１に記載のＩＶプライミング・キャップ。
【請求項１２】
静脈内（ＩＶ）プライミング・キャップであって、前記静脈内（ＩＶ）プライミング・キャップは、
近位端部、遠位端部、および内側表面を有するカバー本体部であって、前記内側表面は、前記カバー本体部の中へ延在しているコネクター・キャビティーを画定しており、前記コネクター・キャビティーは、前記近位端部と前記遠位端部との間に長手方向のコネクター・キャビティー軸線を含み、プライミング通路が、前記コネクター・キャビティーの中から前記カバー本体部の外側へ延在している、カバー本体部と；
前記カバー本体部の外側表面から延在するカップリング・タブであって、前記カップリング・タブは、前記カバー本体部に連結されているベース部分、前記カバー本体部の遠位にある先端部部分、前記カップリング・タブの内側表面と前記カバー本体部の外側表面との間に画定されるスロットとを含む、カップリング・タブと
を含む、静脈内（ＩＶ）プライミング・キャップ。
【請求項１３】
前記スロットは、前記カバー本体部の前記近位端部から前記遠位端部に向かう方向に延在している、請求項１２に記載のＩＶプライミング・キャップ。
【請求項１４】
前記スロットは、前記長手方向のコネクター・キャビティー軸線に対して横方向に延在している、請求項１２に記載のＩＶプライミング・キャップ。
【請求項１５】
前記ベース部分は、前記長手方向のコネクター・キャビティー軸線に対して横断方向の第１の方向に、前記カバー本体部から延在しており、前記先端部部分は、前記第１の方向とは異なっている第２の方向に、前記ベース部分から延在している、請求項１２に記載のＩＶプライミング・キャップ。
【請求項１６】
前記第２の方向は、前記長手方向のコネクター・キャビティー軸線に対して横断方向になっている、請求項１５に記載のＩＶプライミング・キャップ。
【請求項１７】
前記カバー本体部は、前記カバー本体部の外側表面に沿って延在するリブおよびチャネルのいずれかを含む、請求項１２に記載のＩＶプライミング・キャップ。
【請求項１８】
前記プライミング通路は、前記カバー本体部の前記近位端部および前記遠位端部のいずれか通って延在している、請求項１２に記載のＩＶプライミング・キャップ。
【請求項１９】
前記ＩＶプライミング・キャップは、前記プライミング通路に沿って位置決めされている疎水性のフィルターを含む、請求項１２に記載のＩＶプライミング・キャップ。
【請求項２０】
静脈内（ＩＶ）投与セットであって、前記静脈内（ＩＶ）投与セットは、遠位端部を含むＩＶラインと、前記ＩＶラインの前記遠位端部と連結するように構成されている流体コネクターと、前記流体コネクターと連結するように構成されているＩＶプライミング・キャップとを含み、前記ＩＶプライミング・キャップは、
近位端部、遠位端部、および内側表面を有するカバー本体部であって、前記内側表面は、前記カバー本体部の中へ延在しているコネクター・キャビティーを画定しており、プライミング通路が、前記コネクター・キャビティーの中から前記カバー本体部の外側へ延在している、カバー本体部と；
前記カバー本体部の外側表面から延在するカップリング・タブであって、前記カップリング・タブは、前記カバー本体部に連結されているベース部分、前記カバー本体部の遠位にある先端部部分、前記カップリング・タブの内側表面と前記カバー本体部の外側表面との間に画定されるスロットとを含み、前記カップリング・タブは、前記スロットを通して位置決めされている所定の長さのＩＶラインに係合するように構成されている、カップリング・タブと
を含む、静脈内（ＩＶ）投与セット。
【発明の詳細な説明】
【技術分野】
【０００１】
本出願は、静脈の中へ挿入されたニードルまたはカテーテルを通して流体を患者の血管系に投与するために使用される静脈内（ＩＶ）投与セットおよびデバイスに関する。より具体的には、本出願は、流体コネクターをカバーするために、流体プライミングを可能にするために、ならびに、流体コネクターおよびＩＶ投与セットの汚染を防止するために使用され得る流体コネクター・キャップに関する。
【背景技術】
【０００２】
ＩＶ投与セットは、静脈の中へ挿入されたニードルまたはカテーテルを通してコンテナから患者の血管系へ流体を投与するために使用されるデバイスである。ＩＶ投与セットは、ニードルまたはＬｕｅｒコネクター、ＩＶラインまたはチュービング、フロー調整器、ドリップ・チャンバー、注入ライン・フィルター、静脈内セットのストップコックまたはバルブ、セットのパーツ同士の間のコネクター、アクセス・ポートまたは注射部位、ローラー・クランプなどのようなクランプ、および、チュービングを貫通してＩＶバッグまたは他の注入流体コンテナに接続するためのＩＶスパイクを含むことが可能である。
【発明の概要】
【０００３】
空気塞栓症を防止するために、ＩＶ投与セットは、ＩＶチュービングを患者に取り付ける前に、チュービングから空気を除去するために、流体またはＩＶ溶液によってプライミングされなければならない。空気塞栓症は、ＩＶ治療の潜在的な合併症であり、プライミングされていないＩＶチュービング、損傷を受けたまたはカットされたチュービング、アクセス・ポート、および、少な過ぎる流体を伴うドリップ・チャンバーを通して、患者の血液系に進入する可能性がある。
【０００４】
ＩＶ投与セットをプライミングするために、クランプは、ドリップ・チャンバーの下方にＩＶラインに沿って位置決めされており、クランプは、閉位置に移動させられる。存在する場合には、ＩＶスパイクの上の保護カバーが除去され、ＩＶスパイクが注入流体コンテナの中へ挿入される。注入流体コンテナは、通常はＩＶポールから、吊り下げられているかまたは懸架されている。ドリップ・チャンバーは、圧迫または圧縮され、ドリップ・チャンバーの中へ注入流体を排出し、注入流体によってドリップ・チャンバーを部分的に充填することが可能である。
【０００５】
クランプは、開位置に移動させられ、注入流体およびガスまたは空気がＩＶラインを通ってＩＶラインの遠位端部（たとえば、および注入流体コンテナ）へ移動することを可能にする。キャップがＩＶラインの遠位端部（または、ＩＶラインの遠位端部における流体コネクター）に固定されている場合には、キャップが除去され、流体およびガスがＩＶ投与セットを退出することを可能にする。
【０００６】
プライミングの間にＩＶラインから排出される注入流体を処分するために、ＩＶラインの遠位端部は、シンクまたは洗面器の上方に介護者によって保持され得る。注入流体は、血管内投与セットの中に大きい気泡が存在しなくなるまで、チュービングの遠位端部から滴下することを許容される。ＩＶ投与セットのプライミングの間に、介護者は、注入流体がチュービングの遠位端部に向けて移動している間に、および、気泡がチュービングの中に残らなくなるまで、反転された位置にチュービングの遠位端部を保持することも可能である。ＩＶ投与セットがプライミングされた後に、チュービングの遠位端部、または、それに固定された流体コネクターは、ＩＶ投与セットの汚染を防止するためにカバーされなければならない。
【０００７】
ＩＶ投与セットのプライミングは、介護者が１０〜３０秒にわたってチュービングの遠位端部を反転された位置で保持することを必要とする可能性がある。ＩＶ投与セットをプライミングするこのプロセスは、勤務シフトごとにおよび複数の患者に対して何度も繰り返される可能性があり、介護者が他のタスクに注意を払うことを妨げ、ＩＶ投与セットの汚染などのようなエラーの可能性を高め、必要とされる身体運動を悪化させ、それは、介護者に怪我を引き起こす可能性がある。
【０００８】
準備およびプライミングの間に、キャップがＩＶラインの遠位端部または流体コネクターから除去され、ＩＶラインの遠位端部または流体コネクターが地面または別の物体に触れる場合には、ＩＶ投与セットが汚染されることになる可能性がある。また、ＩＶラインの遠位端部または流体コネクターから除去されたキャップが、除去されている間に汚染されることになり、次いで、ＩＶ投与セットのＩＶラインの遠位端部または流体コネクターに再び取り付けられる場合には、ＩＶ投与セットが汚染されることになる可能性もある。
【０００９】
ＩＶ投与セットのプライミングは、チュービングから排出されている静脈内流体に介護者が露出されることを引き起こす可能性がある。たとえば、静脈内流体が腫瘍学における使用のための毒性の化学療法薬物であるときなどには、静脈内流体への露出または接触は、介護者に有害である可能性がある。露出による害は、静脈内流体への１回の露出において、または、繰り返される露出から起こる可能性がある。
【００１０】
少なくともいくつかの実施形態によれば、所定の手順がＩＶ投与セットの汚染を防止するために実装され得るが、無数のＩＶ投与セットが医療手順の間に実装されるときに、特定の問題が起こるという認識が、本明細書で開示されている。たとえば、ＩＶ投与セットは汚染されることになる可能性があり、ＩＶ投与セットがプライミングされて患者の血管内系に連結されているときに、汚染が患者に移送される可能性がある。
【００１１】
本明細書で開示されているいくつかの実施形態は、数え切れないほどのＩＶ投与セットが介護者によって実装され、介護者は、ＩＶ投与セットの繰り返される準備およびプライミングによって身体的に疲労することになる可能性があるという認識に関する。また、本明細書で開示されている実施形態は、介護者が注入流体への露出から負傷することになる可能性があるという認識に関する。
【００１２】
本明細書で開示されている少なくともいくつかの実施形態によれば、本開示は、ＩＶ投与セットの汚染を防止し、介護者による身体運動を容易にし、ＩＶ投与の準備およびプライミングのために介護者によって使用される時間を低減させ、注入流体への露出による介護者への害を防止することができるＩＶプライミング・キャップを提供する。
【００１３】
主題技術の追加的な特徴および利点が、下記の説明において記述されることとなり、説明から部分的に明らかになることとなり、または、主題技術の実施によって学習され得る。主題技術の利点は、書面による説明およびその実施形態ならびに添付の図面においてとりわけ指摘された構造体によって、実現および達成されることとなる。
【００１４】
先述の全体的な説明および以下の詳細な説明の両方は、例示的かつ説明的であり、主題技術のさらなる説明を提供することを意図しているということが理解されるべきである。
【００１５】
本発明の例示目的の実施形態のさまざまな特徴が、図面を参照して下記に説明されている。図示されている実施形態は、本発明を図示することを意図しており、本発明を限定することを意図していない。図面は、以下の図を含有している。
【図面の簡単な説明】
【００１６】
【図１】注入流体を受け入れている患者およびＩＶ投与セットの斜視図である。
【図２】注入流体コンテナおよびＩＶ投与セットの斜視図である。
【図３Ａ】いくつかの実施形態によるＩＶプライミング・キャップの上面斜視図である。
【図３Ｂ】図３ＡのＩＶプライミング・キャップの底面斜視図である。
【図３Ｃ】図３ＡのＩＶプライミング・キャップの上面図である。
【図３Ｄ】図３ＡのＩＶプライミング・キャップの底面図である。
【図３Ｅ】図３ＡのＩＶプライミング・キャップの断面図である。
【図４Ａ】いくつかの実施形態によるＩＶプライミング・キャップの別の実施形態の上面斜視図である。
【図４Ｂ】図４ＡのＩＶプライミング・キャップの底面斜視図である。
【図４Ｃ】図４ＡのＩＶプライミング・キャップの上面図である。
【図４Ｄ】図４ＡのＩＶプライミング・キャップの底面図である。
【図４Ｅ】図４ＡのＩＶプライミング・キャップの断面図である。
【図５Ａ】いくつかの実施形態によるＩＶプライミング・キャップの別の実施形態の上面斜視図である。
【図５Ｂ】図５ＡのＩＶプライミング・キャップの底面斜視図である。
【図５Ｃ】図５ＡのＩＶプライミング・キャップの正面図である。
【図５Ｄ】図５ＡのＩＶプライミング・キャップの側面図である。
【図６Ａ】いくつかの実施形態によるＩＶプライミング・キャップの別の実施形態の上面斜視図である
【図６Ｂ】図６ＡのＩＶプライミング・キャップの底面斜視図である。
【図６Ｃ】図６ＡのＩＶプライミング・キャップの正面図である。
【図６Ｄ】図６ＡのＩＶプライミング・キャップの側面図である。
【図７Ａ】いくつかの実施形態によるＩＶプライミング・キャップの別の実施形態の上面斜視図である。
【図７Ｂ】図７ＡのＩＶプライミング・キャップの底面斜視図である。
【図７Ｃ】図７ＡのＩＶプライミング・キャップの正面図である。
【図７Ｄ】図７ＡのＩＶプライミング・キャップの側面図である。
【図８Ａ】いくつかの実施形態によるＩＶプライミング・キャップの別の実施形態の上面斜視図である。
【図８Ｂ】図８ＡのＩＶプライミング・キャップの底面斜視図である。
【図８Ｃ】図８ＡのＩＶプライミング・キャップの正面図である。
【図８Ｄ】図８ＡのＩＶプライミング・キャップの側面図である。
【図９Ａ】いくつかの実施形態によるＩＶプライミング・キャップの別の実施形態の上面斜視図である。
【図９Ｂ】図９ＡのＩＶプライミング・キャップの底面斜視図である。
【図９Ｃ】図９ＡのＩＶプライミング・キャップの上面図である。
【図９Ｄ】図９ＡのＩＶプライミング・キャップの底面図である。
【図１０Ａ】いくつかの実施形態によるＩＶプライミング・キャップの別の実施形態の上面斜視図である。
【図１０Ｂ】図１０ＡのＩＶプライミング・キャップの底面斜視図である。
【図１０Ｃ】図１０ＡのＩＶプライミング・キャップの正面図である。
【図１０Ｄ】図１０ＡのＩＶプライミング・キャップの側面図である。
【図１１】いくつかの実施形態による、ＩＶ投与セットの一部分に連結されているＩＶプライミング・キャップの斜視図である。
【図１２】いくつかの実施形態による、ＩＶ投与セットの一部分に連結されているＩＶプライミング・キャップの斜視図である。
【発明を実施するための形態】
【００１７】
主題技術のさまざまな構成が、本開示からより容易に当業者に明らかになることとなり、主題技術のさまざまな構成は、図示として示されて説明されているということが理解される。認識されることとなるように、主題技術は、他の構成および異なる構成が可能であり、そのいくつかの詳細は、すべて主題技術の範囲から逸脱することなく、さまざまな他の点における修正が可能である。したがって、要約、図面、および詳細な説明は、本質的に例示目的のためのものとして見なされるべきであり、限定的なものとして見なされるべきでない。
【００１８】
以下に記述されている詳細な説明は、主題技術のさまざまな構成の説明として意図されており、主題技術が実施され得る唯一の構成を表すことを意図していない。添付の図面は、本明細書に組み込まれており、詳細な説明の一部を構成している。詳細な説明は、主題技術の徹底的な理解を提供する目的のために、具体的な詳細を含む。しかし、主題技術がこれらの具体的な詳細なしに実施され得るということが、当業者に明らかになることとなる。いくつかの場合には、周知の構造体およびコンポーネントは、主題技術の概念を曖昧にすることを回避するためにブロック図の形態で示されている。同様のコンポーネントは、理解しやすいように、同一のエレメント番号によってラベル付けされている。
【００１９】
少なくともいくつかの実施形態によれば、本明細書で開示されているのは、ＩＶ投与セットおよび患者の準備の間に、ＩＶ投与セットのプライミングの間に、および、患者へのＩＶ投与セットの連結の間に起こり得る汚染を防止することを含む、ＩＶ投与セットの汚染を防止することができるＩＶプライミング・キャップである。
【００２０】
図１は、介護者１０および患者１２を図示している。患者は、患者の血管系に連結されているＩＶ投与セット２０を通して注入流体を受け入れている。図２は、注入流体コンテナ２２およびＩＶ投与セット２０を図示している。ＩＶ投与セットは、注入流体コンテナ２２に連結されているドリップ・チャンバー２４と、近位端部がドリップ・チャンバー２４に連結されている状態のＩＶライン２６のチュービングと、流体コネクター２８に連結されているＩＶライン２６の遠位端部とを含む。ローラー・クランプ３０が、ドリップ・チャンバー２４と流体コネクター２８との間で、所定の長さのＩＶライン２６に連結されている。流体コネクターは、ＩＶプライミング・キャップ３４に連結されており、ＩＶプライミング・キャップ３４は、ドリップ・チャンバー２４とローラー・クランプ３０との間で、所定の長さのＩＶライン２６に連結されている。いくつかの実施形態では、ＩＶプライミング・キャップ３４は、ＩＶ投与セット２０の別の部分（たとえば、ローラー・クランプ３０またはＩＶライン・ピンチ・クランプなど）と係合または連結し、ＩＶラインの遠位端部および流体コネクターをＩＶ投与セットから吊り下げることが可能である。
【００２１】
ＩＶプライミング・キャップは、ＩＶプライミング・キャップがＩＶ投与セットに連結されているときに、ＩＶラインの遠位端部および流体コネクターがＩＶラインの近位端部の配向に対して反転されるように構成されている。ＩＶラインの遠位端部および流体コネクターの反転された配向は、ＩＶ投与セットのプライミングを促進させる。
【００２２】
ＩＶプライミング・キャップは、ＩＶプライミング・キャップから延在するカップリング・タブを使用して、ＩＶ投与セットに連結され得る。カップリング・タブは、チュービング通路およびスロットのいずれかを形成する１つまたは複数のアームを備えて構成され得る。
【００２３】
チュービング通路および／またはスロットは、流体フローの速度がそれを通して低減されないように、ＩＶラインを圧縮することなく、ＩＶプライミング・キャップを所定の長さのＩＶチュービングに連結することを可能にする幅を含むことが可能である。しかし、いくつかの実施形態では、チュービング通路および／またはスロットは、所定の幅を含むことが可能であり、その所定の幅は、所定の長さのＩＶラインが圧縮されることを引き起こし、それによって、流体フローの速度がそれを通して低減されることを引き起こす。
【００２４】
本開示のいくつかの態様では、所定の長さのＩＶラインは、ＩＶプライミング・キャップによって圧縮されており、ＩＶラインを通る流体フローの速度が、ＩＶ投与セットのプライミングを可能にすることができるようになっているが、しかし、ＩＶラインを通る流体フローの前記速度は、注入流体を患者に投与するには十分でない。結果として、介護者は、ＩＶプライミング・キャップがＩＶラインに取り付けられた状態でＩＶ投与セットをプライミングすることが可能であるが、しかし、介護者は、治療のために所望の流量を実現することができない。所望の流量が実現されないので、介護者は、注入流体を患者に投与する前に、ＩＶプライミング・キャップを除去および／または廃棄するように促される。
【００２５】
ＩＶ投与セットは、ＩＶプライミング・キャップに連結されている流体コネクターを備えたＩＶラインの遠位端部によってプライミングされ得り、または、ＩＶ投与セットは、ＩＶプライミング・キャップから流体コネクターを分離することによってプライミングされ得る。ＩＶプライミング・キャップは、ＩＶ投与セットをプライミングする前または後に、ＩＶ投与セットから分離されて処分され得る。
【００２６】
本開示のいくつかの実施形態では、ＩＶプライミング・キャップは、プライミングが起こったというインディケーションを含む、プライミングのインディケーションを提供することが可能である。たとえば、ＩＶプライミング・キャップは、流体がＩＶ投与セットから排出されたことを示すために色を変える材料を含むことが可能である。いくつかの実施形態では、ＩＶプライミング・キャップは、液体との接触を示すために色を変えることができる疎水性のフィルターを含む。また、ＩＶプライミング・キャップは、ＩＶプライミング・キャップがＩＶ投与セットに連結されたままであるというインディケーションを提供することも可能である。たとえば、ＩＶプライミング・キャップは、ＩＶプライミング・キャップを除去するためのインディケーションとして、ＩＶラインを通る流体フローを制限するように構成され得る。
【００２７】
本開示は、オス型ルアータイプ流体コネクターを連結することができるＩＶプライミング・キャップの実施形態を説明しているが、ＩＶプライミング・キャップは、他の流体コネクターと連結され得るということが認識されるべきである。しかし、明確化および簡潔化のために、本開示は、主に、オス型ルアー流体コネクターに言及することとなる。追加的に、本開示は、ＩＶ投与セットに関するＩＶプライミング・キャップを説明しているが、ＩＶプライミング・キャップは、他のＩＶ流体送達デバイスおよびシステムと連結され得るということが認識されるべきである。しかし、明確化および簡潔化のために、本開示は、主に、ＩＶ投与セットに言及することとなる。
【００２８】
図３Ａ〜図３Ｅは、ＩＶプライミング・キャップ１００の実施形態を図示している。ＩＶプライミング・キャップは、ＩＶラインの遠位端部と連結するか、またはＩＶラインの遠位端部における流体コネクターと連結することが可能である。本明細書で開示されている少なくともいくつかの実施形態において、ＩＶプライミング・キャップは、流体コネクターおよびＩＶ投与セットの一部分と連結し、ＩＶラインの遠位端部および流体コネクターをＩＶ投与セットから懸架することが可能である。
【００２９】
ＩＶプライミング・キャップ１００は、カバー本体部１０２およびカップリング・タブ１０４を含む。カバー本体部１０２は、近位端部１０６と、近位端部１０６の反対側の遠位端部１０８とを含む。カバー本体部１０２は、内側表面１１０を含み、内側表面１１０は、キャビティーを画定しており、キャビティーは、カバー本体部１０２の中へ延在しており、流体コネクターをその中に受け入れるように構成されている。キャビティーは、カバー本体部１０２の近位端部１０６から遠位端部１０８に向けて延在することが可能である。長手方向のコネクター・キャビティー軸線１Ａが、カバー本体部１０２の近位端部１０６と遠位端部１０８との間に延在している。
【００３０】
カバー本体部１０２は、長手方向のコネクター・キャビティー軸線１Ａに対して横断方向に、所定の断面プロファイルを備えた外側表面を有している。本開示において使用されているように、横断方向という用語は、別の方向もしくは角度に交差するかまたは別の方向もしくは角度を横切ってまたは延在することが可能な任意の方向または角度を含むことが可能である。カバー本体部１０２の断面プロファイルは、近位端部１０６から遠位端部１０８に向けてテーパー付きになっていることが可能である。本開示のいくつかの実施形態では、カバー本体部１０２の外側表面は、近位セグメント１１２および遠位セグメント１１４を有しており、近位セグメント１１２は、近位端部１０６から遠位端部１０８に向けて延在しており、遠位セグメント１１４は、近位セグメント１１２から遠位端部１０８に向けて延在している。近位セグメント１１２は、第１の断面幅を有しており、遠位セグメント１１４は、第１の断面幅よりも小さい第２の断面幅を有している。いくつかの実施形態では、カバー本体部１０２の外側表面は、近位セグメント１１２と遠位セグメント１１４との間でテーパー付きになっている。
【００３１】
ＩＶプライミング・キャップ１００は、図３Ａ〜図３Ｃに示されているように、カバー本体部１０２の外側表面から突出するリブ１１６を含むことが可能である。リブ１１６は、カバー本体部１０２の近位端部１０６と遠位端部１０８との間に延在することが可能である。本明細書で開示されている少なくともいくつかの実施形態において、リブ１１６は、カバー本体部の近位セグメント１１２と遠位端部１０８との間において、遠位セグメント１１４に沿って延在することが可能である。
【００３２】
リブ１１６は、ＩＶプライミング・キャップ１００を把持するために、および、長手方向のコネクター・キャビティー軸線１Ａの周りにＩＶプライミング・キャップ１００を回転させるために、増加した表面積およびてこ作用を提供することが可能である。また、リブ１１６は、近位セグメント１１２および遠位セグメント１１４に沿って、構造的なリジッド性および支持を提供することが可能である。
【００３３】
いくつかの実施形態では、カバー本体部１０２の外側表面は、カバー本体部１０２の外側表面の中へ延在する溝部またはチャネルを含むことが可能である。本開示の少なくともいくつかの実施形態では、カバー本体部１０２の外側表面は、凹形部分（たとえば、ディンプルもしくはノッチなど）、凸形部分（たとえば、バルジもしくはリッジなど）、または、それらの任意の組み合わせを含むことが可能である。凹形表面特徴および凸形表面特徴のいずれも、外側表面エリアの表面積を増加させ、カバー本体部１０２のリジッド性を増加させることが可能である。
【００３４】
カバー本体部の内側表面１１０は、図３Ｅに最良に図示されているように、カバー本体部の近位セグメント１１２に沿って近位キャビティー１２０を形成することが可能であり、また、カバー本体部の遠位セグメント１１４に沿って遠位キャビティー１２２を形成することが可能である。
【００３５】
ＩＶプライミング・キャップ１００が流体コネクターと連結されているときには、流体コネクターの異なる部分は、近位キャビティー１２０および遠位キャビティー１２２において、カバー本体部１０２に係合することが可能である。いくつかの例では、オス型ルアー・コネクターがＩＶプライミング・キャップ１００と連結されているときには、流体コネクターの本体部部分は、近位キャビティー１２０の中に位置決めされ得り、流体コネクターのオス型ルアー部分は、遠位キャビティー１２２の中に位置決めされ得る。例では、ネジ山または他のカップリング特徴を有する流体コネクターの外側表面は、近位キャビティー１２０に沿ってカバー本体部の内側表面１１０に係合することが可能である。流体コネクターのカップリング特徴が、近位キャビティー１２０に沿ってカバー本体部の内側表面１１０に対して係合されているときには、流体コネクターのオス型ルアー部分は、遠位キャビティー１２２に沿ってカバー本体部の内側表面１１０に対して係合することが可能である。
【００３６】
カバー本体部１０２は、壁部１２４を含むことが可能であり、壁部１２４は、遠位セグメント１１４から近位キャビティー１２０の中へ、および、コネクター・キャビティー軸線１Ａの周りに延在することが可能である。壁部１２４の内側表面は、遠位キャビティー１２２の一部分を形成することが可能である。壁部１２４の外側表面は、近位セグメント１１２に沿って、カバー本体部の内側表面１１０から間隔を離して配置されている。
【００３７】
遠位キャビティー１２２は、遠位キャビティー１２２の内側表面と壁部１２４との間に形成された断面幅を有している。遠位キャビティー１２２の断面幅は、カバー本体部１０２のキャビティーの中へ挿入される流体コネクターのオス型ルアーに対して係合するように構成され得る。遠位キャビティー１２２の断面幅は、カバー本体部の遠位端部１０８に向けてテーパー付きになっていることが可能である。本開示のいくつかの態様では、ＩＶプライミング・キャップ１００は、遠位キャビティー１２２に沿ってオス型ルアーとカバー本体部１０２の内側表面との間に締まり嵌めを形成することによって、流体コネクターのオス型ルアーに対して流体的にシールすることが可能である。
【００３８】
カバー本体部１０２は、プライミング通路１２６を含み、カバー本体部１０２のキャビティーとＩＶプライミング・キャップ１００の外側表面に隣接するエリアとの間の流体の移動を可能にすることが可能である。プライミング通路１２６は、遠位キャビティー１２２とカバー本体部の遠位端部１０８との間に延在している。いくつかの実施形態では、プライミング通路１２６は、近位キャビティー１２０および／または遠位キャビティー１２０のいずれかからカバー本体部１０２の外側表面へ延在することが可能である。いくつかの例では、プライミング通路１２６は、遠位セグメント１１４に沿って遠位キャビティー１２０とカバー本体部の外側表面側部表面との間に延在している。いくつかの実施形態では、プライミング通路１２６の少なくとも一部分は、カバー本体部１０２の中へ延在する溝部によって形成され得る。
【００３９】
プライミング通路１２６は、ＩＶプライミング・キャップ１００を流体コネクターから分離または除去することなく、ＩＶ投与セットのプライミングを可能にする。結果として、注入流体およびガスは、ＩＶプライミング・キャップ１００がそれに固定された状態で、流体コネクターを通してＩＶ投与セットから外へ方向付けられ得る。ＩＶプライミング・キャップ１００がプライミングの間に流体コネクターから除去または分離される必要がないので、流体コネクターまたはＩＶ投与セットを汚染する可能性が低減される。
【００４０】
本明細書で開示されている少なくともいくつかの実施形態において、ＩＶプライミング・キャップ１００は、フィルター１２８を含む。フィルター１２８は、プライミング通路１２６に沿って位置決めされており、それを通って移動する流体を濾すかまたは分離する。本開示のいくつかの実施形態では、フィルター１２８は、ＩＶ投与セットが使用および／またはプライミングされたというインディケーションを提供することが可能である。
【００４１】
フィルター１２８は、プライミング通路１２６の中に位置決めされ得るか、または、カバー本体部１０２の先端部部分に連結され得る。図３Ｅを参照すると、ＩＶプライミング・キャップは、凹部１３０を含み、フィルター１２８をその中に受け入れることが可能である。凹部１３０は、カバー本体部１０２の遠位端部の中へ延在することが可能であり、プライミング通路１２６は、凹部１３０と交差している。いくつかの実施形態では、ＩＶプライミング・キャップは、フィルターを含まない。フィルターを含まない実施形態では、プライミング通路は、凹部１３０を通って延在することが可能である（たとえば、図４Ｅ）。
【００４２】
フィルター１２８は、フィルターを通る液体の移動に抵抗しながら、ガスがフィルターを通って移動することを可能にするように構成されている。たとえば、フィルター１２８は、疎水性のフィルターであることが可能である。いくつかの例では、フィルター１２８は、ポリエチレン材料を含むか、または、ポリエチレンによってコーティングされている膜を含む。
【００４３】
ＩＶ投与セットが使用および／またはプライミングされたというインディケーションを提供するために、フィルターは、変化する色を含むことが可能である。たとえば、フィルターは、液体（たとえば、注入流体）がフィルターに接触したときに、色を変化させることが可能である。
【００４４】
本明細書で開示されている少なくともいくつかの実施形態では、カバー本体部１０２の内側表面は、リッジ１３４を含み、リッジ１３４は、ＩＶプライミング・キャップのキャビティーの中に位置決めされている流体コネクターに対して係合するように構成されている。リッジ１３４は、螺旋状のリッジおよび長手方向のリッジのいずれかとし形成され得る。いくつかの実施形態では、リッジ１３４は、流体コネクターと係合するように構成されている任意の形状であることが可能である。
【００４５】
螺旋状のリッジ（たとえば、図３Ｂおよび図３Ｅ）は、カバー本体部の内側表面に沿ってネジ山として形状決めされ得る。ネジ山は、カバー本体部の内側表面から離れるように、または、内側表面１１０の中へ延在することが可能である。ネジ山は、ＩＶプライミング・キャップに連結されている流体コネクターのネジ山と噛み合うように構成されているネジ山ピッチを有することが可能である。
【００４６】
長手方向のリッジ（たとえば、図４Ｂおよび図４Ｅ）は、カバー本体部の内側表面に沿って長手方向に延在する壁部、および、カバー本体部の内側表面１１０の中へ延在する溝部またはチャネルのいずれかとして形状決めされ得る。いくつかの態様では、リッジは、カバー本体部の内側表面１１０の中へ延在するチャネル同士の間に形成され得る。長手方向のリッジは、ＩＶプライミング・キャップに連結されている流体コネクターの外側表面に対して係合するように構成され得る。
【００４７】
本開示のいくつかの実施形態では、螺旋状のおよび長手方向のリッジのいずれかは、コネクター・キャビティー軸線Ａ１に対して螺旋状のまたは角度のあるパターンで複数の突出部として形状決めされ得り、コネクター・キャビティー軸線Ａ１に対して平行に延在することが可能である。
【００４８】
カバー本体部１０２は、近位キャビティー１２０および遠位キャビティー１２４のいずれかの中へ延在する突起部１３８を含むことが可能である。突起部１３８は、カバー本体部の内側表面１１０から近位キャビティー１２０のうちの延在することが可能である。図３Ｄおよび図３Ｅにおいて、突起部１３８は、カバー本体部の近位セグメント１１２と遠位セグメント１１４との間において、内側表面１１０から延在している。いくつかの実施形態では、突起部１３８は、コネクター・キャビティー軸線Ａ１の周りに間隔を離して配置されている。
【００４９】
突起部１３８は、近位キャビティー１２０の中での、遠位キャビティー１２２に向かう方向への流体コネクターの移動に抵抗することが可能である。いくつかの態様では、突起部１３８は、カバー本体部の近位セグメント１１２と遠位セグメント１１４との間にリジッド性を提供することが可能である。
【００５０】
ＩＶプライミング・キャップ１００のカップリング・タブ１０４は、一般的に、クランプとして形状決めされており、クランプは、カバー本体部１０２から延在しており、ＩＶ投与セットの一部分と係合または連結する。カップリング・タブ１０４がＩＶ投与セットと連結されているときには、ＩＶプライミング・キャップの中に保たれているＩＶラインの遠位端部および流体コネクターは、介護者または患者による接触からの汚染に抵抗するためにカバーされている。さらに、ＩＶラインの遠位端部および流体コネクターは、ＩＶ投与セットから懸架されており、床または地面との接触からの汚染を防止する。さらに、ＩＶラインの遠位端部および流体コネクターの反転された配向は、ＩＶプライミング・キャップがＩＶ投与セットに連結されているときに、ＩＶ投与セットのプライミングを促進させる。
【００５１】
カップリング・タブ１０４は、第１のカップリング・アーム１４０および第２のカップリング・アーム１４２を有するクランプとして形状決めされている。第１のカップリング・アーム１４０および第２のカップリング・アーム１４２のそれぞれは、カバー本体部１０２に連結されているベース部分と、カバー本体部１０２の遠位にある先端部部分とを含む。カップリング・タブ１０４は、コネクター・キャビティー軸線１Ａに対して横断する方向に、カバー本体部１０２から離れるように延在している。
【００５２】
第１のカップリング・アーム１４０および第２のカップリング・アーム１４２のそれぞれは、第１のカップリング・アーム１４０および第２のカップリング・アーム１４２のうちの他方の方を向く内側表面１４４を含む。第１のカップリング・アーム１４０および第２のカップリング・アーム１４２の内側表面は、それらの間にチュービング通路１４６を形成しており、それは、一般的に、図３Ｄの破線の中のエリアによって識別されている。
【００５３】
また、第１のカップリング・アーム１４０および第２のカップリング・アーム１４２の内側表面は、スロット１４８の少なくとも一部分を形成しており、それは、一般的に、図３Ｄの破線の中のエリアによって識別されている。スロット１４８は、チュービング通路１４６とカップリング・タブ１０４の外側表面との間に延在しており、所定の長さのＩＶラインがチュービング通路１４６の中へ移動させられることを可能にする。また、スロット１４８は、カップリング・タブ１０４が別の構造体と連結することを可能にすることができる。いくつかの実施形態では、スロットは、カップリング・タブ１０４の先端部部分からベース部分に向けて延在している。
【００５４】
スロット１４８に沿った、第１のカップリング・アーム１４０および第２のカップリング・アーム１４２の内側表面の一部分は、内向きに延在しており、スロット１４８に沿った内側表面１４４同士の間の長さＬ１が、チュービング通路１４６に沿った内側表面１４４同士の間の長さＬ２よりも小さくなるようになっている。長さＬ１は、ＩＶラインの直径におおよそ等しいかまたはそれよりも小さくなっていることが可能である。使用時に、第１のカップリング・アーム１４０および第２のカップリング・アーム１４２は、互いから離れるように付勢され得り、所定の長さのＩＶチュービングがスロットを通ってチュービング通路１４６の中へ移動させられることを可能にする。
【００５５】
長手方向のチュービング通路軸線１Ｂが、チュービング通路１４６を通って延在しており、長手方向のコネクター・キャビティー軸線１Ａに対して平行になっている。カップリング・タブ１０４が所定の長さのＩＶラインと連結されているときには、所定の長さのＩＶラインは、一般的に、長手方向のチュービング通路軸線１Ｂに沿って整合させられて延在することとなり、ＩＶラインの遠位端部部分は、一般的に、長手方向のコネクター・キャビティー軸線１Ａに沿って整合させられることとなる。いくつかの実施形態では、長手方向のチュービング通路軸線１Ｂは、コネクター・キャビティー軸線１Ａに対して横断方向の所定の角度で延在しており、横断方向は、コネクター・キャビティー軸線１Ａを横切って延在する任意の角度を含む。
【００５６】
本開示のいくつかの実施形態では、ＩＶプライミング・キャップ２００は、図４Ａ〜図４Ｅに図示されているように、対向するカップリング・アームを有するカップリング・タブ２０４を含む。
【００５７】
ＩＶプライミング・キャップ２００は、ＩＶプライミング・キャップ１００（図３Ａ〜図３Ｅ）を参照して説明されているものと同様の特徴を含むことが可能である。そうであるので、いくつかの同様の特徴の説明は、明確化および簡潔化のために本明細書では繰り返されていない。しかし、本開示の実施形態を参照して説明されている特徴は、本開示の任意の実施形態によって実装され得る。
【００５８】
ＩＶプライミング・キャップ２００は、カバー本体部２０２およびカップリング・タブ２０４を含む。カバー本体部２０２は、近位端部２０６および遠位端部２０８を含み、遠位端部２０８は、近位端部２０６の反対側にある。カバー本体部２０２は、キャビティーを画定する内側表面２１０を含み、キャビティーは、カバー本体部２０２の中へ延在しており、流体コネクターをその中に受け入れるように構成されている。長手方向のコネクター・キャビティー軸線２Ａは、カバー本体部２０２の近位端部２０６と遠位端部２０８との間に延在している。
【００５９】
内側表面２１０は、リッジ２３４を含み、リッジ２３４は、ＩＶプライミング・キャップのキャビティーの中に位置決めされている流体コネクターに対して係合するように構成されている。リッジ２３４は、ＩＶプライミング・キャップ２００とキャビティーの中へ挿入された流体コネクターとの間に締まり嵌めを生成させることができる長手方向のリッジとして形状決めされている。いくつかの態様では、リッジ２３４は、流体コネクターのスロットと嵌合または係合するように構成されている。
【００６０】
リッジ２３４は、カバー本体部２０２の近位端部２０６と遠位端部２０８との間に延在しており、コネクター・キャビティー軸線２Ａに対して整合されている。リッジ２３４のそれぞれは、コネクター・キャビティー軸線２Ａに対して平行に延在しているが、しかし、いくつかの実施形態では、リッジ２３４は、コネクター・キャビティー軸線２Ａの横断方向に延在することが可能である。たとえば、リッジ２３４は、コネクター・キャビティー軸線２Ａに対して横断方向に延在し、内側表面に沿ってリッジのスパイラルを形成することが可能である。
【００６１】
リッジ２３４は、カバー本体部２０２の内側表面に沿って互いから間隔を離して配置され得る。リッジ２３４は、それぞれの長手方向のリッジ２３４同士の間に等しい距離を伴って間隔を離して配置されている。しかし、いくつかの実施形態では、長手方向のリッジ２３４は、１つまたは複数のリッジ同士の間に異なる距離を伴って間隔を離して配置され得る。異なる間隔をそれらの間に有するリッジ２３４は、同様の間隔をそれらの間に備えた嵌合チャネルを有する流体コネクターがＩＶプライミング・キャップの中へ挿入されることを可能にすることができる。
【００６２】
リッジ２３４は、カバー本体部の内側表面とそれぞれのリッジ２３４の最も内側の表面（たとえば、コネクター・キャビティー軸線２Ａに最も近い表面）との間に、所定の高さを含む。リッジ２３４のうちの１つまたは複数は、別の長手方向のリッジ２３４に対して異なる高さを有することが可能である。
【００６３】
図４Ｄを参照すると、ＩＶプライミング・キャップ２００は、第１の高さＨ１を有するリッジ２３４Ａと、第２の高さＨ２を有するリッジ２３４Ｂとを有することが可能であり、第２の高さＨ２は、第１の高さＨ１よりも大きくなっている。リッジは、第１の高さＨ１を有するリッジ２３４Ａが第２の高さＨ２を有するリッジ２３４Ｂ同士の間に位置決めされるように位置決めされ得る。
【００６４】
本開示のいくつかの実施形態では、リッジ２３４は、近位端部２０６と遠位端部２０８との間で増加または減少する高さを有することが可能である。たとえば、図４Ｅに図示されているリッジ２３４の高さは、近位端部２０６から遠位端部２０８に向けて減少しており、リッジの内側表面同士の間の断面長さが、近位端部２０６から離れるようにテーパー付きになるようになっている。
【００６５】
ＩＶプライミング・キャップ２００のカップリング・タブ２０４は、コネクター・キャビティー軸線２Ａに対して横断する方向に、カバー本体部２０２から離れるように延在している。カップリング・タブ２０４は、第１のカップリング・アーム２４０および第２のカップリング・アーム２４２を有しており、第２のカップリング・アーム２４２が第１のカップリング・アーム２４０の反対側に配向されてロブスターのはさみの形状を形成した状態になっている。
【００６６】
第１のカップリング・アーム２４０および第２のカップリング・アーム２４２のそれぞれは、カバー本体部２０２に連結されているベース部分と、部分カバー本体部２０２の遠位にある先端部とを含む。第１のカップリング・アーム２４０および第２のカップリング・アーム２４２は、コネクター・キャビティー軸線２Ａに対して横断する方向に、所定の幅を有している。第１のカップリング・アーム２４０および第２のカップリング・アーム２４２のそれぞれの幅は、ベース部分から先端部部分に向けてテーパー付きになっている。
【００６７】
第１のカップリング・アーム２４０および第２のカップリング・アーム２４２のベース部分は、コネクター・キャビティー軸線２Ａの周りに角度２Ｃにわたって、カバー本体部２０２の外側表面に沿って延在している。本開示のいくつかの実施形態では、角度２Ｃは、少なくとも約９０度になっており、および／または、約１８０度以下になっている。いくつかの実施形態では、ベース部分は、コネクター・キャビティー軸線２Ａの周りに約１４０度の角度にわたって、カバー本体部２０２の外側表面に沿って延在している。
【００６８】
第１のカップリング・アーム２４０および第２のカップリング・アーム２４２は、第１のカップリング・アーム２４０および第２のカップリング・アーム２４２のうちの他方の方を向く内側表面２４４を含む。第１のカップリング・アーム２４０および第２のカップリング・アーム２４２の内側表面は、チュービング通路２４６を形成しており、チュービング通路２４６は、それは、一般的に、図４Ｄの破線の中のエリアによって識別されている。長手方向のチュービング通路軸線２Ｂは、チュービング通路２４６を通って延在している。長手方向のチュービング通路軸線２Ｂは、長手方向のコネクター・キャビティー軸線２Ａに対して平行になっている所定の角度で延在している。いくつかの実施形態では、チュービング通路軸線２Ｂは、長手方向のコネクター・キャビティー軸線２Ａに対して横断方向になっている所定の角度で延在している。チュービング通路２４６は、断面形状を有している。断面形状は、円形、楕円、半円形、および多角形のいずれかであることが可能である。いくつかの実施形態では、チュービング通路２４６は、ＩＶラインの直径よりも小さい直径を有しており、カップリング・タブ２００がＩＶラインに対して係合し、ＩＶプライミング・キャップ２００とＩＶラインとの間の移動に抵抗するようになっている。
【００６９】
また、第１のカップリング・アーム２４０および第２のカップリング・アーム２４２の内側表面は、スロット２４８の少なくとも一部分を形成しており、それは、一般的に、図４Ｄの破線の中のエリアによって識別されている。スロット２４８は、チュービング通路２４６とカップリング・タブ２０４の外側表面との間に延在している。スロット２４８は、チュービング通路２４６とカップリング・タブ２０４の外側表面との間に、通路がスロット２４８によって形成されるように位置決めされている。スロット２４８は、第１および第２のカップリング・アーム２４０および２４２の先端部部分からベース部分に向けて延在することが可能である。
【００７０】
スロット２４８に沿った第１のカップリング・アーム２４０および第２のカップリング・アーム２４２の内側表面の一部分は、内向きに延在しており、スロット２４８に沿った内側表面２４４同士の間の長さが、チュービング通路２４６に沿った内側表面２４４同士の間の長さよりも小さくなるようになっている。
【００７１】
第１のカップリング・アーム２４０および第２のカップリング・アーム２４２は、近位端部２０６の方向を向く近位表面と、遠位端部２０８の方向を向く遠位表面とを含む。遠位表面は、凹んだ表面２５０を含み、それぞれのカップリング・アーム２４０および２４２の周囲部の少なくとも一部分が、凹んだ表面２５０の上方に延在する壁部２５２を含むようになっている。本開示のいくつかの実施形態では、カップリング・アーム２４０および２４２の近位表面および遠位表面のいずれかが、凹部表面を含むことが可能である。凹んだ表面２５０および壁部２５２は、カップリング・タブ２０４を形成するために必要な材料の量を低減させながら、構造的なリジッド性を提供する。
【００７２】
チュービング通路２４６およびスロット２４８は、所定の長さのＩＶラインがチュービング通路２４６の中へ移動させられることを可能にする。また、チュービング通路２４６およびスロット２４８は、ＩＶプライミング・キャップ２００が別の構造体（たとえば、ポールまたはクランプなど）と連結されることを可能にすることもできる。カップリング・タブ２０４が所定の長さのＩＶラインによって連結されているときには、所定の長さのＩＶラインは、一般的に、長手方向のチュービング通路軸線２Ｂに沿って整合されて延在することとなり、ＩＶラインの遠位端部部分は、一般的に、長手方向のコネクター・キャビティー軸線２Ａに沿って整合させられることとなる。
【００７３】
本開示のいくつかの実施形態では、ＩＶプライミング・キャップ３００は、図５Ａ〜図５Ｄに図示されているように、フック形状のカップリング・タブ３０４を含む。
【００７４】
ＩＶプライミング・キャップ３００は、本明細書で開示されている他の実施形態を参照して説明されているものと同様の特徴を含むことが可能である。そうであるので、いくつかの同様の特徴の説明は、明確化および簡潔化のために本明細書では繰り返されていない。
【００７５】
ＩＶプライミング・キャップ３００は、カバー本体部３０２およびカップリング・タブ３０４を含む。カバー本体部３０２は、近位端部３０６および遠位端部３０８を含み、遠位端部３０８は、近位端部３０６の反対側にある。カバー本体部３０２は、キャビティーを画定する内側表面３１０を含み、キャビティーは、カバー本体部３０２の中へ延在しており、流体コネクターをその中に受け入れるように構成されている。長手方向のコネクター・キャビティー軸線３Ａは、カバー本体部３０２の近位端部３０６と遠位端部３０８との間に延在している。
【００７６】
ＩＶプライミング・キャップ３００のカップリング・タブ３０４は、コネクター・キャビティー軸線３Ａに対して横断する方向に、カバー本体部３０２から離れるように延在している。カップリング・タブは、カバー本体部３０２に連結されているベース部分と、カバー本体部３０２の遠位にある先端部部分とを含む。
【００７７】
ベース部分は、第１の方向にカバー本体部３０２から延在しており、先端部部分は、第２の方向にベース部分から延在しており、第２の方向は、第１の方向とは異なっている。第１の方向は、コネクター・キャビティー軸線３Ａに対して横断方向になっており、カバー本体部３０２の外側表面から離れるように延在している。また、第２の方向は、コネクター・キャビティー軸線３Ａに対して横断方向になっているが、カバー本体部３０２の外側表面に向けて延在している。一緒に、ベース部分および先端部部分は、フック形状のカップリング・タブ３０４を形成しており、フック形状のカップリング・タブ３０４は、チュービング通路３４６を形成する内側表面を有しており、長手方向のチュービング通路軸線３Ｂがチュービング通路３４６を通る状態になっている。チュービング通路軸線３Ｂは、長手方向のコネクター・キャビティー軸線３Ａに対して平行になっている。いくつかの実施形態では、チュービング通路軸線３Ｂは、コネクター・キャビティー軸線３Ａに対して横断方向になっている所定の角度で延在している。
【００７８】
いくつかの実施形態では、チュービング通路３４６は、ＩＶラインの直径よりも小さい直径を有しており、カップリング・タブ３０４がＩＶラインに対して係合し、ＩＶプライミング・キャップ３００とＩＶラインとの間の移動に抵抗するようになっている。
【００７９】
スロット３４８の少なくとも一部分が、カップリング・タブ３０４とカバー本体部３０２との間に形成され得る。より具体的には、スロット３４８は、カップリング・タブ３０２の先端部部分とカバー本体部３０４の外側表面との間に形成され得る。いくつかの実施形態では、スロット３４８は、チュービング通路３４６とカップリング・タブ３０４の外側表面との間に延在している。スロット３４８は、チュービング通路３４６とカップリング・タブ３０４の外側表面との間で、カップリング・タブ３０４のベース部分に向かう方向に延在するように配向されている。
【００８０】
カップリング・タブ３０４の断面は、高さおよび幅を有する壁部として形状決めされている。カップリング・タブ３０４の高さは、近位表面（近位端部３０６の方向を向いている）と遠位表面（遠位端部３０８の方向を向いている）との間に延在している。カップリング・タブ３０４のベース部分に沿って、壁部高さは、第１の高さＨ３から第２の高さＨ４へカバー本体部３０２から離れるように減少している。カップリング・タブ３０４の先端部部分に沿って、壁部高さは、第２の高さＨ４から第３の高さＨ５へカバー本体部３０２に向けて増加している。第３の高さＨ５は、第２の高さＨ４よりも大きくなっている。いくつかの実施形態では、第３の高さＨ５は、第１の高さＨ３と第２の高さＨ４との間にある。
【００８１】
カップリング・タブ３０４の幅は、第１の高さＨ３、第２の高さＨ４、および第３の高さＨ５よりも小さくなっている。高さに対して、カップリング・タブ３０４の狭い幅は、所定の長さのＩＶラインがスロット３４６を通してチュービング通路３４８へ移動させられるときに、カップリング・タブ３０４がチュービング通路軸線３Ｂから離れるように付勢されることを可能にする。幅に対して、カップリング・タブ３０４の高い高さは、チュービング通路３４８の中へ挿入される所定の長さのＩＶラインに対して係合するために、カップリング・タブ３０４の大きい内側表面積を提供している。カップリング・タブ３０４の内側表面の係合は、ＩＶプライミング・キャップ３００に対するＩＶラインのスライドまたは移動に抵抗する。
【００８２】
カップリング・タブ３０４の先端部部分は、突出部３６０を含むことが可能であり、突出部３６０は、カップリング・タブ３０４の外側表面から離れるように延在する外側表面を有している。突出部３６０は、円筒形状に形状決めされ得り、カップリング・タブ３０４の高さに沿って長手方向に延在することが可能である。いくつかの実施形態では、突出部３６０は、円形、楕円、半円形、および多角形のいずれかを含む断面形状を含むことが可能である。突出部３６０の断面プロファイル（チュービング通路軸線３Ｂに対して横断方向）は、カップリング・タブ３０４の高さに沿ってテーパー付きになっている幅を含む。突出部３６０の幅は、カップリング・タブの近位端部からカップリング・タブ３０４の遠位端部に向けてテーパー付きになっている。
【００８３】
チュービング通路３４６およびスロット３４８は、所定の長さのＩＶラインがチュービング通路３４６の中へ移動させられることを可能にする。また、チュービング通路３４６およびスロット３４８は、ＩＶプライミング・キャップ３００が別の構造体（たとえば、ポールまたはクランプなど）と連結されることを可能にすることもできる。カップリング・タブ３０４が所定の長さのＩＶラインによって連結されているときには、所定の長さのＩＶラインは、一般的に、長手方向のチュービング通路軸線３Ｂに沿って整合されて延在することとなり、ＩＶラインの遠位端部部分は、一般的に、長手方向のコネクター・キャビティー軸線３Ａに沿って整合させられることとなる。
【００８４】
図６Ａ〜図６Ｄを参照すると、フック形状のカップリング・タブ４０４を有するＩＶプライミング・キャップ４００の実施形態が図示されている。ＩＶプライミング・キャップ４００は、本明細書で開示されている他の実施形態を参照して説明されているものと同様の特徴を含むことが可能である。そうであるので、いくつかの同様の特徴の説明は、明確化および簡潔化のために本明細書では繰り返されていない。
【００８５】
ＩＶプライミング・キャップ４００は、カバー本体部４０２およびカップリング・タブ４０４を含む。カバー本体部４０２は、近位端部４０６および遠位端部４０８を含み、遠位端部４０８は、近位端部４０６の反対側にある。カバー本体部４０２の内側表面４１０は、キャビティーを画定しており、キャビティーは、カバー本体部４０２の中へ延在しており、流体コネクターをその中に受け入れるように構成されている。長手方向のコネクター・キャビティー軸線４Ａは、カバー本体部４０２の近位端部４０６と遠位端部４０８との間に延在している。
【００８６】
ＩＶプライミング・キャップ４００のカップリング・タブ４０４は、コネクター・キャビティー軸線４Ａに対して横断する方向に、カバー本体部４０２から離れるように延在している。カップリング・タブは、カバー本体部４０２に連結されているベース部分と、カバー本体部４０２の遠位にある先端部部分とを含む。
【００８７】
カップリング・タブ４０４のベース部分は、コネクター・キャビティー軸線２Ａの周りに角度４Ｃにわたって、カバー本体部４０２の外側表面に沿って延在している。本開示のいくつかの実施形態では、角度４Ｃは、少なくとも約１０度になっており、および／または、約９０度以下になっている。いくつかの実施形態では、ベース部分は、コネクター・キャビティー軸線４Ａの周りに約９０度の角度にわたって、カバー本体部４０２の外側表面に沿って延在している。
【００８８】
ベース部分は、第１の方向にカバー本体部４０２から延在しており、先端部部分は、第２の方向にベース部分から延在しており、第２の方向は、第１の方向とは異なっている。第１の方向は、コネクター・キャビティー軸線４Ａに対して横断方向になっており、カバー本体部４０２の外側表面から離れるように延在している。また、第２の方向は、コネクター・キャビティー軸線４Ａに対して横断方向になっているが、カバー本体部４０２の外側表面に向けて延在している。一緒に、ベース部分および先端部部分は、フック形状のカップリング・タブ４０４を形成しており、フック形状のカップリング・タブ４０４は、チュービング通路４４６を形成する内側表面を有しており、長手方向のチュービング通路軸線４Ｂがチュービング通路４４６を通る状態になっている。チュービング通路軸線４Ｂは、長手方向のコネクター・キャビティー軸線４Ａに対して平行になっている。いくつかの実施形態では、チュービング通路軸線４Ｂは、コネクター・キャビティー軸線４Ａに対して横断方向になっている所定の角度で延在している。
【００８９】
いくつかの実施形態では、チュービング通路４４６は、ＩＶラインの直径よりも小さい直径を有しており、カップリング・タブ４０４がＩＶラインに対して係合し、ＩＶプライミング・キャップ４００とＩＶラインとの間の移動に抵抗するようになっている。
【００９０】
スロット４４８の少なくとも一部分が、カップリング・タブ４０４とカバー本体部４０２との間に形成され得る。より具体的には、スロット４４８は、カップリング・タブ４０４の先端部部分とカバー本体部４０２の外側表面との間に形成され得る。スロット４４８は、チュービング通路４４６とカップリング・タブ４０４の外側表面との間に延在している。いくつかの実施形態では、スロット４４８は、チュービング通路４４６とカップリング・タブ４０４の外側表面との間で、カップリング・タブ４０４のベース部分に向かう方向に延在するように配向されている。
【００９１】
カップリング・タブ４０４は、所定の高さおよび幅を有する壁部として形状決めされている。カップリング・タブ４０４の高さは、近位表面（近位端部４０６の方向を向いている）と遠位表面（遠位端部４０８の方向を向いている）との間に延在している。カップリング・タブ４０４のベース部分に沿って、幅は、カバー本体部４０２から離れるように減少している。いくつかの実施形態では、幅は、カップリング・タブ４０４の先端部部分に沿ってカバー本体部４０２に向けて増加している。
【００９２】
遠位表面は、凹んだ表面４５０を含み、カップリング・タブ４０４の周囲部の少なくとも一部分が、凹んだ表面４５０の上方に延在する壁部４５２を含むようになっている。本開示のいくつかの実施形態では、カップリング・タブ４０４の近位表面および遠位表面のいずれかが、凹んだ表面を含むことが可能である。凹んだ表面４５０および壁部４５２は、カップリング・タブ４０４を形成するために必要な材料の量を低減させながら、構造的なリジッド性を提供する。
【００９３】
チュービング通路４４６およびスロット４４８は、所定の長さのＩＶラインがチュービング通路４４６の中へ移動させられることを可能にする。所定の長さのＩＶラインがスロット４４８を通してチュービング通路４４６へ挿入されるときには、ＩＶラインに対して、カップリング・タブ４０４のリジッド性は、カップリング・タブ４０４の変形または付勢に抵抗する。チュービング通路４４６が、ＩＶラインの直径よりも小さい断面長さを有するときには、チュービング通路４４６の中へ挿入された所定の長さのＩＶラインが圧縮される。
【００９４】
チュービング通路４４６およびスロット４４８は、ＩＶプライミング・キャップ４００が別の構造体（たとえば、ポールまたはクランプなど）と連結されることを可能にすることもできる。カップリング・タブ４０４が所定の長さのＩＶラインによって連結されているときには、所定の長さのＩＶラインは、一般的に、長手方向のチュービング通路軸線４Ｂに沿って整合されて延在することとなり、ＩＶラインの遠位端部部分は、一般的に、長手方向のコネクター・キャビティー軸線４Ａに沿って整合させられることとなる。
【００９５】
本開示のいくつかの実施形態では、ＩＶプライミング・キャップ５００は、図７Ａ〜図７Ｄに図示されているように、クリップ形状のカップリング・タブ５０４を含む。
【００９６】
ＩＶプライミング・キャップ５００は、本明細書で開示されている他の実施形態を参照して説明されているものと同様の特徴を含むことが可能である。そうであるので、いくつかの同様の特徴の説明は、明確化および簡潔化のために本明細書では繰り返されていない。
【００９７】
ＩＶプライミング・キャップ５００は、カバー本体部５０２およびカップリング・タブ５０４を含む。カバー本体部５０２は、近位端部５０６および遠位端部５０８を含み、遠位端部５０８は、近位端部５０６の反対側にある。カバー本体部５０２は、キャビティーを画定する内側表面５１０を含み、キャビティーは、カバー本体部５０２の中へ延在しており、流体コネクターをその中に受け入れるように構成されている。長手方向のコネクター・キャビティー軸線５Ａは、カバー本体部５０２の近位端部５０６と遠位端部５０８との間に延在している。
【００９８】
ＩＶプライミング・キャップ５００のカップリング・タブ５０４は、コネクター・キャビティー軸線５Ａに対して横断する方向に、カバー本体部５０２から離れるように延在している。カップリング・タブは、カバー本体部５０２に連結されているベース部分５６２と、ベース部分から延在し、カバー本体部５０２の遠位にある中間部分５６４と、中間部分から延在する先端部部分５６６とを含む。
【００９９】
ベース部分５６２は、第１の方向にカバー本体部５０２から延在しており、第１の方向は、コネクター・キャビティー軸線５Ａに対して横断方向になっており、カバー本体部５０２の外側表面から離れるように延在している。中間部分５６４は、第２の方向にベース部分５６２から延在しており、第２の方向は、第１の方向とは異なっている。先端部部分５６６は、第３の方向に中間部分５６４から延在しており、第３の方向は、第１および第２の方向とは異なっている。いくつかの実施形態では、第３の方向は、また、コネクター・キャビティー軸線５Ａに対して横断方向になっているが、カバー本体部５０２の外側表面に向けて延在している。
【０１００】
ベース部分５６２、中間部分５６４、および先端部部分５６６は、クリップ形状のカップリング・タブ５０４を形成しており、クリップ形状のカップリング・タブ５０４は、チュービング通路５４６を形成する内側表面を有しており、長手方向のチュービング通路軸線５Ｂがチュービング通路５４６を通る状態になっている。
【０１０１】
第２の方向は、コネクター・キャビティー軸線５Ａに対して平行および横断方向のいずれかであることが可能である。第２の方向がコネクター・キャビティー軸線５Ａに対して平行になっている実施形態では、チュービング通路軸線５Ｂは、コネクター・キャビティー軸線５Ａに対して横断方向になっている。第２の方向がコネクター・キャビティー軸線５Ａに対して横断方向になっている実施形態では、チュービング通路軸線５Ｂは、コネクター・キャビティー軸線５Ａに対して平行になっている。
【０１０２】
カバー本体部５０２の外側表面と中間部分５６４の内側表面との間の距離は、ＩＶラインの直径よりも小さくなっており、カップリング・タブ５００がＩＶラインに対して係合し、ＩＶプライミング・キャップ５００とＩＶラインとの間の移動に抵抗するようになっている。
【０１０３】
スロット５４８の少なくとも一部分が、カップリング・タブ５０４とカバー本体部５０２との間に形成され得る。より具体的には、スロット５４８は、カップリング・タブ５０４の先端部部分とカバー本体部５０２の外側表面との間に形成され得る。スロット５４８は、チュービング通路５４６とカップリング・タブ５０４の外側表面との間に延在している。スロット５４８は、チュービング通路５４６とカップリング・タブ５０４の外側表面との間で、カップリング・タブ５０４のベース部分に向かう方向に延在するように配向されている。
【０１０４】
カップリング・タブ５０４は、所定の高さ、幅、および長さを有する壁部として形状決めされている。カップリング・タブ５０４の高さは、近位表面（近位端部５０６の方向を向いている）と遠位表面（遠位端部５０８の方向を向いている）との間に延在している。カップリング・タブ５０４の長さは、ベース部分５６２から先端部部分５６６への方向であり、カップリング・タブ５０４の幅は、カップリング・タブ５０４の長さに対して横断する方向である。
【０１０５】
ベース部分５６２、中間部分５６４、および先端部部分５６６のいずれかは、それぞれの部分の長さに沿って減少する高さを有することが可能である。ベース部分５６２は、高さＨ１０を有することが可能であり、先端部部分５６６は、高さＨ１２を有することが可能であり、高さＨ１２は、高さＨ１０よりも小さくなっている。ベース部分５６２と先端部部分５６６との間において、中間部分５６４は、高さＨ１０から高さＨ１２へ減少する高さを含む。
【０１０６】
カップリング・タブ５０４の幅は、高さＨ１０および高さＨ１２よりも小さくなっている。カップリング・タブ５０４の幅、および、ベース部分５６２に対して先端部部分５６６の低減された高さは、ベース部分５６２に隣接するエリアに対して、先端部部分５６６に隣接するエリアにおいて、より可撓性のカップリング・タブ５０４を提供する。先端部部分５６６の可撓性は、先端部部分５６６が可撓性になりカバー本体部５０２から離れるように移動させられることを可能にすることができ、一方では、先端部部分５６６に対して、より可撓性の低いベース部分５６２は、カップリング・タブ５０４がＩＶラインまたは他の構造体に連結されているときに、ＩＶプライミング・キャップ５００への損傷に対抗する。
【０１０７】
幅に対して、カップリング・タブ５０４の高い高さは、チュービング通路５４８の中へ挿入される所定の長さのＩＶラインに対して係合するために、カップリング・タブ５０４の大きい内側表面積を提供している。カップリング・タブ５０４の内側表面の係合は、ＩＶプライミング・キャップ５００に対するＩＶラインのスライドまたは移動に抵抗する。
【０１０８】
カップリング・タブ５０４の長さＬ１０は、近位端部５０６に隣接するカバー本体部５０２の断面長さＬ１２よりも小さくなっている。カップリング・タブ５０４の長さＬ１０は、ベース部分５６２の高さＨ１０におおよそ等しい。カップリング・タブ５０４の長さＬ１０は、ベース部分５６２の高さＨ１０におおよそ等しいので、カップリング・タブ５０４は、カバー本体部５０２に向かう方向またはカバー本体部５０２から離れる方向に、長さＬ１０よりも大きい長さを有するカップリング・タブ５０４に対して、より可撓性が低くなっている。
【０１０９】
カップリング・タブ５０４の先端部部分は、突出部５６０を含むことが可能であり、突出部５６０は、カップリング・タブ５０４の外側表面から離れるように延在する外側表面を有している。突出部５６０は、円筒形状に形状決めされ得り、カップリング・タブ５０４の高さに沿って長手方向に延在することが可能である。いくつかの実施形態では、突出部５６０は、円形、楕円、半円形、および多角形のいずれかを含む断面形状を含むことが可能である。いくつかの実施形態では、突出部５６０の断面プロファイル（チュービング通路軸線５Ｂに対して横断方向）は、カップリング・タブ５０４の高さに沿ってテーパー付きになっている幅を含む。
【０１１０】
チュービング通路５４６およびスロット５４８は、所定の長さのＩＶラインがチュービング通路５４６の中へ移動させられることを可能にする。また、チュービング通路５４６およびスロット５４８は、ＩＶプライミング・キャップ５００が別の構造体（たとえば、ポールまたはクランプなど）と連結されることを可能にすることもできる。カップリング・タブ５０４が所定の長さのＩＶラインによって連結されているときには、所定の長さのＩＶラインは、一般的に、長手方向のチュービング通路軸線５Ｂに沿って整合されて延在することとなり、ＩＶラインの遠位端部部分は、一般的に、長手方向のコネクター・キャビティー軸線５Ａに沿って整合させられることとなる。
【０１１１】
本開示のいくつかの実施形態では、ＩＶプライミング・キャップ５００は、図８Ａ〜図８Ｄに図示されているように、細長いクリップ形状のカップリング・タブ５０４を含む。細長いカップリング・タブ５０４は、カップリング・タブ５０４の高さに対して長い長さを含む。
【０１１２】
ベース部分５６２は、高さＨ１０を有しており、先端部部分５６６は、高さＨ１４を有することが可能であり、高さＨ１４は、高さＨ１０および高さＨ１２よりも小さくなっている。ベース部分５６２と先端部部分５６６との間において、中間部分５６４は、高さＨ１０から高さＨ１４に向けて減少する高さを含む。いくつかの実施形態では、ベース部分５６２の高さＨ１０は、先端部部分５６６の高さＨ１４よりも小さくなっており、中間部分５６４の高さは、高さＨ１０から高さＨ１４に向けて増加することが可能である。
【０１１３】
細長いカップリング・タブ５０４の長さＬ１４は、近位端部５０６に隣接するカバー本体部５０２の断面長さＬ１２におおよそ等しい。カップリング・タブ５０４の長さＬ１４は、ベース部分５６２の高さＨ１０よりも大きい。いくつかの実施形態では、カップリング・タブ５０４の長さＬ１４は、ベース部分５６２の高さＨ１０の２倍の長さになっている。
【０１１４】
細長いカップリング・タブ５０４の長さＬ１４は、ベース部分５６２の高さＨ１０よりも大きいので、細長いカップリング・タブ５０４は、カバー本体部５０２に向かう方向またはカバー本体部５０２から離れる方向に、高さＨ１０以下の長さを有するカップリング・タブ５０４に対して、より可撓性になっている。
【０１１５】
細長いカップリング・タブ５０４がより可撓性であるので、カバー本体部５０２と細長いカップリング・タブ５０４との間に位置決めされている所定の長さのＩＶラインは、圧縮されない可能性があり、それによって、ＩＶラインを通る遮るもののないフローを可能にする。追加的に、細長いカップリング・タブ５０４は、ＩＶプライミング・キャップを他の構造体（たとえば、レーリングなど）に連結するために使用され得る。
【０１１６】
図９Ａ〜図９Ｄを参照すると、クリップ形状のカップリング・タブ６０４を有するＩＶプライミング・キャップ６００の別の実施形態が図示されている。ＩＶプライミング・キャップ６００は、本明細書で開示されている他の実施形態を参照して説明されているものと同様の特徴を含むことが可能である。そうであるので、いくつかの同様の特徴の説明は、明確化および簡潔化のために本明細書では繰り返されていない。
【０１１７】
ＩＶプライミング・キャップ６００は、カバー本体部６０２およびカップリング・タブ６０４を含む。カバー本体部６０２は、近位端部６０６および遠位端部６０８を含み、遠位端部６０８は、近位端部６０６の反対側にある。カバー本体部６０２の内側表面６１０は、キャビティーを画定しており、キャビティーは、カバー本体部６０２の中へ延在しており、流体コネクターをその中に受け入れるように構成されている。長手方向のコネクター・キャビティー軸線６Ａは、カバー本体部６０２の近位端部６０６と遠位端部６０８との間に延在している。
【０１１８】
ＩＶプライミング・キャップ６００のカップリング・タブ６０４は、コネクター・キャビティー軸線６Ａに対して横断する方向に、カバー本体部６０２から離れるように延在している。カップリング・タブは、カバー本体部６０２に連結されているベース部分６６２と、ベース部分６６２から延在する先端部部分６６６とを含む。ベース部分６６２は、第１の方向にカバー本体部６０２から延在しており、先端部部分６６６は、第２の方向にベース部分６６２から延在しており、第２の方向は、第１の方向とは異なっている。
【０１１９】
カップリング・タブ６０４は、ベース部分６６２および先端部部分６６６に沿って延在する側部表面を含む。ベース部分６６２の側部表面の少なくとも一部分、および、先端部部分６６６の側部表面は、互いに反対側に面しており、チュービング通路６４６を形成するように間隔を離して配置されている。
【０１２０】
チュービング通路６４６は、近位表面（近位端部６０６の方向を向いている）と遠位表面（遠位端部６０８の方向を向いている）との間において、カップリング・タブ６０４を通って延在している。チュービング通路６４６は、カップリング・タブ６０４を通して配向され、長手方向のチュービング通路軸線６Ｂを形成しており、長手方向のチュービング通路軸線６Ｂは、長手方向のコネクター・キャビティー軸線６Ａに対して平行になっている。いくつかの実施形態では、チュービング通路軸線６Ｂは、コネクター・キャビティー軸線６Ａに対して横断方向になっている角度で延在している。追加的に、ベース部分６６２および先端部部分６６６の側部表面は、スロット６４８を形成している。スロット６４８は、チュービング通路６４６とカップリング・タブ６０４の外側表面との間に延在している。
【０１２１】
スロット６４８およびチュービング通路６４６を形成するベース部分６６２および先端部部分６６６の側部表面は、互いに対して概して平行に延在することが可能であり、互いに向けてテーパー付きになっていることが可能であり、互いから離れるようにテーパー付きになっていることが可能である。
【０１２２】
図９Ｃを参照すると、ベース部分６６２の側部表面と先端部部分６６６の側部表面との間の幅は、第１の長さに沿って減少し、テーパー付きのスロット６４８を形成することが可能である。次いで、側部表面同士の間の幅は、スロット６４８からチュービング通路６４６へ増加する。
【０１２３】
チュービング通路６４６およびスロット６４８を形成するカップリング・タブ６０４の側部表面同士の間の幅は、ＩＶラインの直径よりも小さくなっていることが可能であり、所定の長さのＩＶラインが、チュービング通路６４８の中へ移動させられるときに圧縮されるようになっている。
【０１２４】
遠位表面は、凹んだ表面６５０を含み、カップリング・タブ６０４の周囲部の少なくとも一部分が、凹んだ表面６５０の上方に延在する壁部６５２を含むようになっている。本開示のいくつかの実施形態では、カップリング・タブ６０４の近位表面および遠位表面のいずれかが、凹んだ表面を含むことが可能である。凹んだ表面６５０および壁部６５２は、カップリング・タブ６０４を形成するために必要な材料の量を低減させながら、構造的なリジッド性を提供する。
【０１２５】
ベース部分６６２は、コネクター・キャビティー軸線６Ｃの周りに角度６Ｃにわたって、カバー本体部６０２の外側表面に沿って延在している。いくつかの実施形態では、ベース部分は、コネクター・キャビティー軸線６Ａの周りに約９０度の角度にわたって、カバー本体部６０２の外側表面に沿って延在している。
【０１２６】
チュービング通路６４６およびスロット６４８は、所定の長さのＩＶラインがチュービング通路６４６の中へ移動させられることを可能にする。所定の長さのＩＶラインがスロット６４８を通してチュービング通路６４６へ挿入されるときには、ＩＶラインに対して、カップリング・タブ６０４のリジッド性は、カップリング・タブ６０４の変形または移動に抵抗する。
【０１２７】
使用時に、所定の長さのＩＶラインは、スロット６４８の幅の狭くなる部分に沿ってＩＶプライミング・キャップ６００のチュービング通路６４６の中へ移動させられるときに圧縮される（図１２）。チュービング通路６４６の断面幅は、ＩＶラインを通る流体通路を完全にまたは部分的に閉塞させるように構成され得る。
【０１２８】
図１０Ａ〜図１０Ｄを参照すると、フック形状のカップリング・タブ７０４を有するＩＶプライミング・キャップ７００の別の実施形態が図示されている。ＩＶプライミング・キャップ４００は、本明細書で開示されている他の実施形態を参照して説明されているものと同様の特徴を含むことが可能である。そうであるので、いくつかの同様の特徴の説明は、明確化および簡潔化のために本明細書では繰り返されていない。
【０１２９】
ＩＶプライミング・キャップ７００は、カバー本体部７０２およびカップリング・タブ７０４を含む。カバー本体部７０２は、近位端部７０６および遠位端部７０８を含み、遠位端部７０８は、近位端部７０６の反対側にある。カバー本体部７０２の内側表面７１０は、キャビティーを画定しており、キャビティーは、カバー本体部７０２の中へ延在しており、流体コネクターをその中に受け入れるように構成されている。長手方向のコネクター・キャビティー軸線７Ａは、カバー本体部７０２の近位端部７０６と遠位端部７０８との間に延在している。
【０１３０】
ＩＶプライミング・キャップ７００のカップリング・タブ７０４は、コネクター・キャビティー軸線７Ａに対して横断する方向に、カバー本体部７０２から離れるように延在している。カップリング・タブは、カバー本体部７０２に連結されているベース部分７６２と、カバー本体部７０２の遠位にある先端部部分７６６とを含む。
【０１３１】
ベース部分は７６２、第１の方向にカバー本体部７０２から延在しており、先端部部分７６６は、第２の方向にベース部分７６２から延在しており、第２の方向は、第１の方向とは異なっている。
【０１３２】
第１の方向は、コネクター・キャビティー軸線７Ａに対して横断方向になっており、ベース部分７６２が、カバー本体部７０２の外側表面から離れるように延在するようになっている。第２の方向は、第１の方向とは異なっており、先端部部分７６６がカバー本体部７０２の外側表面に沿って延在するようになっている。いくつかの実施形態では、第２の方向は、コネクター・キャビティー軸線７Ａに対して平行になっている。いくつかの実施形態では、第２の方向は、第１の方向に対して横断方向になっている任意の角度である。
【０１３３】
先端部部分７６６は、カバー本体部７０２から間隔を離して配置されており、カバー本体部７０２の外側表面とベース部分７６２および先端部部分７６６の内側表面との間にスロット７４８を形成している。
【０１３４】
スロット７４８は、カバー本体部７０２のベース部分７６２から近位端部７０６に向かう方向に、カバー本体部７０２と先端部部分７６６との間に延在している。追加的に、スロット７４８は、コネクター・キャビティー軸線７Ａに対して横方向に延在している。
【０１３５】
使用時に、ＩＶプライミング・キャップ７００は、ローラー・クランプ３０（図２）またはピンチ・クランプ３６（図１１）などのような構造体に連結され得る。たとえば、図１０Ｄおよび図１１を参照すると、カップリング・タブ７０４がスロット７４８の中のピンチ・クランプ３６の一部分に係合するまで、ピンチ・クランプ３６に向けてＩＶプライミング・キャップ７００を移動させることによって、ＩＶプライミング・キャップ７００は、ピンチ・クランプ３６に連結される。
【０１３６】
いくつかの実施形態では、カバー本体部７０２の外側表面と先端部部分７６６の内側表面との間の距離は、ＩＶラインの外側表面直径よりも小さくなっている。ＩＶプライミング・キャップ７００は、所定の長さのＩＶラインをカップリング・タブ７０４のスロット７４８の中へ移動させることによって、ＩＶラインに連結され得る。
【０１３７】
本開示のいくつかの実施形態では、ＩＶプライミング・キャップは、２つ以上のカップリング・タブを含むことが可能である。たとえば、ＩＶプライミング・キャップは、第１のカップリング・タブおよび第２のカップリング・タブを含むことが可能であり、第１および第２のカップリング・タブは、カップリング・タブ１０４、２０４、３０４、４０４、５０４、６０４、および７０４のいずれかを参照して開示されている特徴を有している。いくつかの実施形態では、ＩＶプライミング・キャップは、第１のカップリング・タブ７０４および第２のカップリング・タブ１０４を含む。他の実施形態では、ＩＶプライミング・キャップは、第１のカップリング・タブ６０４および第２のカップリング・タブ１０４を含む。
［条項としての主題技術の図示］
【０１３８】
本開示の態様のさまざまな例が、便宜上付番された条項（１、２、３、など）として説明されている。これらは、例として提供されており、主題技術を限定しない。図および参照数字の識別は、単なる例として例示目的のために下記に提供されているに過ぎず、条項は、それらの識別によって限定されない。
【０１３９】
条項１．  静脈内（ＩＶ）プライミング・キャップであって、静脈内（ＩＶ）プライミング・キャップは、近位端部、遠位端部、および内側表面を有するカバー本体部であって、内側表面は、近位端部から遠位端部に向けてカバー本体部の中へ延在しているコネクター・キャビティーを画定しており、コネクター・キャビティーは、カバー本体部の近位端部から遠位端部に向けて延在する長手方向のコネクター・キャビティー軸線を含む、カバー本体部と；コネクター・キャビティーの中からカバー本体部の外側へ延在するプライミング通路と；カバー本体部の外側表面から延在するカップリング・タブであって、カップリング・タブは、カバー本体部に連結されているベース部分、カバー本体部の遠位にある先端部部分、カップリング・タブを通るチュービング通路、および、カップリング・タブの外側表面を通りチュービング通路へ延在するスロットを含み、カップリング・タブは、スロットを通してチュービング通路へ移動させられる所定の長さのチュービングに対して係合するように構成されている、カップリング・タブとを含む、静脈内（ＩＶ）プライミング・キャップ。
【０１４０】
条項２．  カップリング・タブは、第１のカップリング・アームおよび第２のカップリング・アームを含み、第１のカップリング・アームおよび第２のカップリング・アームのそれぞれは、カップリング・タブのベース部分と先端部部分との間に延在している、条項１に記載のＩＶプライミング・キャップ。
【０１４１】
条項３．  第１のカップリング・アームおよび第２のカップリング・アームのそれぞれは、第１のカップリング・アームおよび第２のカップリング・アームのうちの他方の方を向く内側表面を含み、チュービング通路およびスロットは、第１のカップリング・アームの内側表面と第２のカップリング・アームの内側表面との間に画定されている、条項２に記載のＩＶプライミング・キャップ。
【０１４２】
条項４．  スロットは、カップリング・タブの先端部部分からベース部分に向かう方向に延在している、条項１に記載のＩＶプライミング・キャップ。
【０１４３】
条項５．  カップリング・タブは、内側表面を含み、カップリング・タブの内側表面は、カップリング・タブの内側表面とカバー本体部の外側表面との間にチュービング通路およびスロットを画定している、条項１に記載のＩＶプライミング・キャップ。
【０１４４】
条項６．  カップリング・タブは、長手方向のコネクター・キャビティー軸線に対して横断する方向に、カバー本体部の外側表面に沿って延在している、条項５に記載のＩＶプライミング・キャップ。
【０１４５】
条項７．  ベース部分は、長手方向のコネクター・キャビティー軸線に対して横断方向の第１の方向に、カバー本体部から延在しており、先端部部分は、第１の方向とは異なっている第２の方向に、ベース部分から延在している、条項１に記載のＩＶプライミング・キャップ。
【０１４６】
条項８．  第２の方向は、長手方向のコネクター・キャビティー軸線に対して横断方向になっている、条項７に記載のＩＶプライミング・キャップ。
【０１４７】
条項９．  カバー本体部は、カバー本体部の外側表面に沿って延在するリブおよびチャネルのいずれかを含む、条項１に記載のＩＶプライミング・キャップ。
【０１４８】
条項１０．  プライミング通路は、カバー本体部の近位端部および遠位端部のいずれか通って延在している、条項１に記載のＩＶプライミング・キャップ。
【０１４９】
条項１１．  ＩＶプライミング・キャップは、プライミング通路に沿って位置決めされている疎水性のフィルターを含む、条項１に記載のＩＶプライミング・キャップ。
【０１５０】
条項１２．  静脈内（ＩＶ）プライミング・キャップであって、静脈内（ＩＶ）プライミング・キャップは、近位端部、遠位端部、および内側表面を有するカバー本体部であって、内側表面は、カバー本体部の中へ延在しているコネクター・キャビティーを画定しており、コネクター・キャビティーは、近位端部と遠位端部との間に長手方向のコネクター・キャビティー軸線を含み、プライミング通路が、コネクター・キャビティーの中からカバー本体部の外側へ延在している、カバー本体部と；カバー本体部の外側表面から延在するカップリング・タブであって、カップリング・タブは、カバー本体部に連結されているベース部分、カバー本体部の遠位にある先端部部分、カップリング・タブの内側表面とカバー本体部の外側表面との間に画定されるスロットとを含む、カップリング・タブとを含む、静脈内（ＩＶ）プライミング・キャップ。
【０１５１】
条項１３．  スロットは、カバー本体部の近位端部から遠位端部に向かう方向に延在している、条項１２に記載のＩＶプライミング・キャップ。
【０１５２】
条項１４．  スロットは、長手方向のコネクター・キャビティー軸線に対して横方向に延在している、条項１２に記載のＩＶプライミング・キャップ。
【０１５３】
条項１５．  ベース部分は、長手方向のコネクター・キャビティー軸線に対して横断方向の第１の方向に、カバー本体部から延在しており、先端部部分は、第１の方向とは異なっている第２の方向に、ベース部分から延在している、条項１２に記載のＩＶプライミング・キャップ。
【０１５４】
条項１６．  第２の方向は、長手方向のコネクター・キャビティー軸線に対して横断方向になっている、条項１５に記載のＩＶプライミング・キャップ。
【０１５５】
条項１７．  カバー本体部は、カバー本体部の外側表面に沿って延在するリブおよびチャネルのいずれかを含む、条項１２に記載のＩＶプライミング・キャップ。
【０１５６】
条項１８．  プライミング通路は、カバー本体部の近位端部および遠位端部のいずれか通って延在している、条項１２に記載のＩＶプライミング・キャップ。
【０１５７】
条項１９．  ＩＶプライミング・キャップは、プライミング通路に沿って位置決めされている疎水性のフィルターを含む、条項１２に記載のＩＶプライミング・キャップ。
【０１５８】
条項２０．  静脈内（ＩＶ）投与セットであって、静脈内（ＩＶ）投与セットは、遠位端部を含むＩＶラインと、ＩＶラインの遠位端部と連結するように構成されている流体コネクターと、流体コネクターと連結するように構成されているＩＶプライミング・キャップとを含み、ＩＶプライミング・キャップは、近位端部、遠位端部、および内側表面を有するカバー本体部であって、内側表面は、カバー本体部の中へ延在しているコネクター・キャビティーを画定しており、プライミング通路が、コネクター・キャビティーの中からカバー本体部の外側へ延在している、カバー本体部と；カバー本体部の外側表面から延在するカップリング・タブであって、カップリング・タブは、カバー本体部に連結されているベース部分、カバー本体部の遠位にある先端部部分、カップリング・タブの内側表面とカバー本体部の外側表面との間に画定されるスロットとを含み、カップリング・タブは、スロットを通して位置決めされている所定の長さのＩＶラインに係合するように構成されている、カップリング・タブとを含む、静脈内（ＩＶ）投与セット。
［さらなる考慮事項］
【０１５９】
いくつかの実施形態では、本明細書における条項のいずれかは、独立条項のうちの任意の１つまたは従属条項のうちの任意の１つに従属することが可能である。１つの態様では、条項（たとえば、従属条項または独立条項）のうちのいずれかは、任意の他の１つまたは複数の条項（たとえば、従属条項または独立条項）と組み合わせられ得る。１つの態様では、請求項は、条項、文章、語句、または段落に記載されている単語（たとえば、ステップ、動作、手段、またはコンポーネント）のうちのいくつかまたはすべてを含むことが可能である。１つの態様では、請求項は、１つまたは複数の条項、文章、語句、または段落に記載されている単語のうちのいくつかまたはすべてを含むことが可能である。１つの態様では、条項、文章、語句、または段落のそれぞれの中の単語のうちのいくつかは除去され得る。１つの態様では、追加的な単語またはエレメントは、条項、文章、語句、または段落に追加され得る。１つの態様では、主題技術は、本明細書で説明されているコンポーネント、エレメント、機能、または動作のうちのいくつかを利用することなく実装され得る。１つの態様では、主題技術は、追加的なコンポーネント、エレメント、機能、または動作を利用して実装され得る。
【０１６０】
先述の説明は、当業者が本明細書で説明されているさまざまな構成を実施することを可能にするために提供されている。主題技術は、とりわけ、さまざまな図および構成を参照して説明されてきたが、これらは、単なる図示目的のためのものに過ぎず、主題技術のはん意を限定するものとして解釈されるべきではないということが理解されるべきである。
【０１６１】
主題技術を実装するための多くの他の方式が存在する可能性がある。本明細書で説明されているさまざまな機能およびエレメントは、主題技術の範囲から逸脱することなく、示されているものとは異なって分割され得る。これらの構成に対するさまざまな修正例は、容易に当業者に明らかになることとなり、本明細書で定義される一般的な原理は、他の構成にも適用され得る。したがって、多くの変形例および修正例が、主題技術の範囲から逸脱することなく、当業者によって主題技術に対して作製され得る。
【０１６２】
開示されているプロセスの中のステップの特定の順序または階層は、例示的なアプローチの図示であるということが理解される。設計の好みに基づいて、プロセスの中のステップの特定の順序または階層が再配置され得るということが理解される。ステップのうちのいくつかは、同時に実施され得る。付随する方法請求項は、サンプル順序でさまざまなステップのエレメントを提示しており、提示されている特定の順序または階層に限定されることを意味していない。
【０１６３】
本明細書で使用されているように、一連の項目に先行する「のうちの少なくとも１つ」という語句は、項目のいずれかを分離するための「および」または「または」という語句を伴って、リストのそれぞれのメンバー（すなわち、それぞれの項目）というよりもむしろ、全体としてリストを修正する。「のうちの少なくとも１つ」という語句は、列挙されているそれぞれの項目のうちの少なくとも１つの選択を必要としない。むしろ、この語句は、項目の任意の１つのうちの少なくとも１つ、および／または、項目の任意の組み合わせのうちの少なくとも１つ、および／または、項目のそれぞれのうちの少なくとも１つを含む意味を可能にする。例として、「Ａ、Ｂ、およびＣのうちの少なくとも１つ」または「Ａ、Ｂ、またはＣのうちの少なくとも１つ」という語句は、Ａのみ、Ｂのみ、もしくはＣのみ；Ａ、Ｂ、およびＣの任意の組み合わせ；ならびに／または、Ａ、Ｂ、およびＣのそれぞれのうちの少なくとも１つをそれぞれ指す。
【０１６４】
本開示で使用されるような「上部」、「底部」、「前部」、および「後部」などのような用語は、通常の重力規準系というよりもむしろ、任意の規準系を指すものとして理解されるべきである。したがって、上部表面、底部表面、前部表面、および後部表面は、重力規準系において、上向きに、下向きに、斜めに、または水平方向に延在することが可能である。
【０１６５】
そのうえ、「含む（ｉｎｃｌｕｄｅ）」または「有する」などの用語が説明または特許請求の範囲において使用されている範囲において、そのような用語は、「含む（ｃｏｍｐｒｉｓｅ）」が請求項の中の移行句として用いられるときに解釈されるように、「含む（ｃｏｍｐｒｉｓｅ）」という用語と同様の様式で、包含的であるということを意図している。
【０１６６】
１つまたは複数の態様において、「約」、「実質的に」、および「おおよそ」という用語は、それらの対応する用語および／または項目同士の間の相対性に関して、業界で認められた許容範囲を提供することが可能である。
【０１６７】
「例示的な」という単語は、「例、場合、または図示としての役割を果たす」ということを意味するために、本明細書で使用されている。「例示的な」として本明細書で説明されている任意の実施形態は、必ずしも、他の実施形態に対して好適または有利であるとして解釈されるべきであるとは限らない。
【０１６８】
単数形でのエレメントへの言及は、具体的に記述されていない限り、「１つおよび１つのみ」を意味することを意図しているのではなく、むしろ「１つまたは複数」を意味することを意図している。男性の代名詞（たとえば、彼の）は、女性および中性の性別（たとえば、彼女の、および、その）を含み、その逆もまた同様である。「いくつか」という用語は、１つまたは複数を指す。下線付きのおよび／またはイタリック体の見出しおよび小見出しは、単に便宜上使用されているに過ぎず、主題技術を限定せず、主題技術の説明の解釈に関連して参照されない。当業者に知られているかまたは後に当業者に知られるようになる、本開示の全体を通して説明されているさまざまな構成のエレメントに対するすべての構造的なおよび機能的な均等物は、参照により本明細書に明示的に組み込まれており、主題技術によって包含されることを意図している。そのうえ、本明細書で開示されているものは、そのような開示が上記の説明の中に明示的に記載されているかどうかにかかわらず、公衆に供されることを意図していない。
【図１】
2021534890.tif 000003
【図２】
2021534890.tif 000004
【図３Ａ】
2021534890.tif 000005
【図３Ｂ】
2021534890.tif 000006
【図３Ｃ】
2021534890.tif 000007
【図３Ｄ】
2021534890.tif 000008
【図３Ｅ】
2021534890.tif 000009
【図４Ａ】
2021534890.tif 000010
【図４Ｂ】
2021534890.tif 000011
【図４Ｃ】
2021534890.tif 000012
【図４Ｄ】
2021534890.tif 000013
【図４Ｅ】
2021534890.tif 000014
【図５Ａ】
2021534890.tif 000015
【図５Ｂ】
2021534890.tif 000016
【図５Ｃ】
2021534890.tif 000017
【図５Ｄ】
2021534890.tif 000018
【図６Ａ】
2021534890.tif 000019
【図６Ｂ】
2021534890.tif 000020
【図６Ｃ】
2021534890.tif 000021
【図６Ｄ】
2021534890.tif 000022
【図７Ａ】
2021534890.tif 000023
【図７Ｂ】
2021534890.tif 000024
【図７Ｃ】
2021534890.tif 000025
【図７Ｄ】
2021534890.tif 000026
【図８Ａ】
2021534890.tif 000027
【図８Ｂ】
2021534890.tif 000028
【図８Ｃ】
2021534890.tif 000029
【図８Ｄ】
2021534890.tif 000030
【図９Ａ】
2021534890.tif 000031
【図９Ｂ】
2021534890.tif 000032
【図９Ｃ】
2021534890.tif 000033
【図９Ｄ】
2021534890.tif 000034
【図１０Ａ】
2021534890.tif 000035
【図１０Ｂ】
2021534890.tif 000036
【図１０Ｃ】
2021534890.tif 000037
【図１０Ｄ】
2021534890.tif 000038
【図１１】
2021534890.tif 000039
【図１２】
2021534890.tif 000040
【国際調査報告】
2021534890.tif 000041
2021534890.tif 000042
2021534890.tif 000043